(57)【要約】  【課題】  本体を構成する外郭部品を熱交換器の固定部材に締結する締結部を備えた空気調和機において、締結部の下部に、同締結部の表面から滴下する結露水を、前記ドレンパンに導く結露水回収手段を設けた空気調和機を提供する。  【解決手段】  本体に吸込口と吹出口を設け、これら吸込口と吹出口とを結ぶ空気通路に、熱交換器５を配設するとともに、同熱交換器で発生した結露水を回収するドレンパン７を設け、前記本体を構成する外郭部品２を前記熱交換器の側板５ｄに締結する締結部８を備えた空気調和機において、前記締結部の下部に、同締結部の表面から滴下する結露水を、前記ドレンパンに導く結露水回収手段を設けてなる構成となっている。  【選択図】図４
2007101136.tif 000002
【特許請求の範囲】
【請求項１】
本体に吸込口と吹出口を設け、これら吸込口と吹出口とを結ぶ空気通路に、熱交換器を配設するとともに、同熱交換器で発生した結露水を回収するドレンパンを設け、前記本体を構成する外郭部品を前記熱交換器の固定部材に締結する締結部を備えた空気調和機において、
前記締結部の下部に、同締結部の表面から滴下する結露水を、前記ドレンパンに導く結露水回収手段を設けてなることを特徴とする空気調和機。
【請求項２】
前記結露水回収手段が前記本体を構成する前面パネル裏面側の前記締結部直下に形成された排水受からなることを特徴とする請求項１記載の空気調和機。
【請求項３】
前記結露水回収手段が排水受と、同排水受と前記ドレンパンとの間に設けられた排水樋からなることを特徴とする請求項１または２記載の空気調和機。
【発明の詳細な説明】
【技術分野】
【０００１】
本発明は、空気調和機の室内機に係わり、より詳しくは、本体を構成する外郭部品を熱交換器の固定部材に締結する締結部を備えた空気調和機において、締結部の下部に、同締結部の表面から滴下する結露水を、前記ドレンパンに導く結露水回収手段を設けた構造に関する。
【背景技術】
【０００２】
空気調和機の外郭部品（例えば、前面パネル）を内部の熱交換器などの冷却される部品とネジ締結を行うと、ネジの頭が冷却され空気調和機の外郭に露がついてしまう。従来ではこの露付きを防止するためネジの頭に断熱材を貼り付けていた。または、付いてしまった露を回収するために、植毛シートを貼り付ける対策がとられてきた。
【０００３】
また、従来の空気調和機の露処理装置としては、例えば、図６及び図７に示すようものが知られている（例えば、実用新案文献１参照。）。
図６ないし図７において、１’は室内ユニットを構成する台枠で、この台枠１’に、熱交換器２’、水受皿３’、電装ブロック１０’が固定されている。さらに、前記熱交換器２’より、室外ユニットと冷凍サイクルを構成する結合装置４’に配管５’結合されている。結合装置４’は、固定具６’にネジ等で固定され、さらに台枠１’にネジ等で固定される。
【０００４】
台枠１’には、固定具６’の取付部７’が具備され、その取付部には図７に示す穴８’が設けてあり、台枠１’の背面のとい９’に接続されている。
上記構成により、空気調和機が冷房運転を行った際に、結合装置４’および固定具６’に結露した結露水は、台枠１’に設けた穴８’を通り、背面のとい９’に導かれる。されに、とい９’から水受皿３’に導かれ、空気調和機本体外に排出される。
【０００５】
しかしながら、上記の断熱材を貼り付けた場合、サービス等の分解時に作業性が悪く、かつ部品数が増えてしまう。また、植毛シートを貼り付けた場合、植毛シートの吸水量を超えると滴下してしまい、かつ部品数も増える。
また、実用新案文献１の場合、構造が複雑で材料費も増加してしまうという問題がある。
【０００６】
【特許文献１】実開昭６３−５３０７号公報（３〜５頁、第１、３図）
【発明の開示】
【発明が解決しようとする課題】
【０００７】
本発明は上記の問題点に鑑み、本体を構成する外郭部品を熱交換器の側板に締結する締結部を備えた空気調和機において、締結部の下部に、同締結部の表面から滴下する結露水を、前記ドレンパンに導く結露水回収手段を設けた空気調和機を提供することを目的とする。
【課題を解決するための手段】
【０００８】
本発明は上述の課題を解決するため、本体に吸込口と吹出口を設け、これら吸込口と吹出口とを結ぶ空気通路に、熱交換器を配設するとともに、同熱交換器で発生した結露水を回収するドレンパンを設け、前記本体を構成する外郭部品を前記熱交換器の固定部材に締結する締結部を備えた空気調和機において、
前記締結部の下部に、同締結部の表面から滴下する結露水を、前記ドレンパンに導く結露水回収手段を設けてなる構成となっている。
【０００９】
また、前記結露水回収手段が前記本体を構成する前面パネルの前記締結部直下に形成された排水受からなる構成となっている。
【００１０】
また、前記結露水回収手段が排水受と、同排水受と前記ドレンパンとの間に設けられた排水樋からなる構成となっている。
【発明の効果】
【００１１】
本発明によれば、冷房運転時に室内機１の前記熱交換器５の冷却により締結部の表面に発生した結露水を、排水受９で受け、この排水受９から滴下する結露水を、ドレンパン７に回収して室内機１の外部へ排水することにより、シール材等の部品を追加せずに、冷却部分にねじを締結することができる。
【発明を実施するための最良の形態】
【００１２】
以下、本発明の空気調和機の実施の形態を添付図面に基づいた実施例として詳細に説明する。
図１（Ａ）は本発明における空気調和機の前面内部と外観を示す斜視図である。
図１（Ｂ）は図１（Ａ）のａ部詳細図である。
図２は本発明における空気調和機の内部斜視図である。
図３は本発明における空気調和機の横断面図である。
図４は本発明における空気調和機の要部拡大断面図である。
図５は本発明における空気調和機の内側から見た要部拡大斜視図である。
【実施例１】
【００１３】
以下、本発明の実施例１を図１乃至図８に基づいて説明する。
図１、図２および図３において、１は空気調和機の室内機、２は同室内機１の筐体を構成する前面パネルで、この前面パネル２の前面および、または上面に吸込口２ａ，２ｂが設けられ、前面下部に吹出口３が設けられている。これら吸込口２ａ，２ｂと吹出口３とを結ぶ空気通路４に垂直部５ａと、同垂直部５ａの上端を折曲して後方に傾斜させた後方傾斜部５ｂと、同後方傾斜部５ｂの上端を折曲して下方に傾斜させた下方傾斜部５ｃとで構成される熱交換器５と、送風ファン６とが配置されている。
【００１４】
前記垂直部５ａの下部に、前記熱交換器５から滴下する露受水を回収するドレンパン７が設けられている。そして、回収された露受水はドレンパン７に接続された、図示しないドレンホースより室外へ排水される。
【００１５】
前記前面パネル２を前記室内機１に取付ける方法は、図２に示す前記室内機１の筐体組立品１ａに、前面側より前記前面パネル２を装着し、図１に示す前記前面パネル２の左右に設けられたねじ孔２ｄにねじ８を挿通し、前記筐体組立品１ａを構成する前記熱交換器５の左右の側板５ｄに設けられたねじ穴５ｅ（左側のみ図示）に、ねじ８を前記前面パネル２に設けられたねじ取付穴２ｃの前方より螺着して取付けられる。
尚、前記ねじ孔２ｄ、ねじ８およびねじ穴５ｅとにより締結部が構成されている。
【００１６】
図４に示すように、前記ねじ取付穴２ｃは、前記ねじ８の直下に、前記前面パネル２の前面側から裏面側に向けて下方に傾斜をさせて、前記ねじ８の頭から滴下する露受水を回収する排水受９を形成した構成となっている。
【００１７】
また、前記排水受９と前記ドレンパン７との間に、前記ねじ８の頭から滴下する露受水を前記ドレンパン７に回収する排水樋１０からなる構成となっている。
【００１８】
上記構成において、冷房運転時に室内機１の前記熱交換器５の冷却により締結部の表面に発生した結露水を、排水受９で受け、この排水受９から滴下する結露水を、ドレンパン７に回収して室内機１の外部へ排水することにより、シール材等の部品を追加せずに、冷却部分にねじを締結することができる。
尚、結露水を排水受９から直接ドレンパン７に回収できるようにしておけば、前記排水樋１０がなくてもよい。
【００１９】
上記に説明したように、本発明によれば、締結部の表面から滴下する結露水を、排水受９から前記ドレンパン７に導く結露水回収手段を用いることにより、シール材等の部品を追加することなく、冷却部分にねじを締結することができる。
【図面の簡単な説明】
【００２０】
【図１】（Ａ）は本発明における空気調和機の前面内部と外観を示す斜視図である。（Ｂ）は図１（Ａ）のａ部詳細図である。
【図２】本発明における空気調和機の内部斜視図である。
【図３】本発明における空気調和機の横断面図である。
【図４】本発明における空気調和機の要部拡大断面図である。
【図５】本発明における空気調和機の内側から見た要部拡大斜視図である。
【図６】従来例における要部拡大斜視図である。
【図７】従来例における結露水の流れを示す説明図である。
【符号の説明】
【００２１】
１  本体
１ａ  筐体組立品
２ａ，２ｂ  吸込口
２ｃ  ねじ取付穴
３  吹出口
４  空気通路
５  熱交換器
５ａ  垂直部
５ｂ  後方傾斜部
５ｃ  下方傾斜部
５ｄ  側板
５ｅ  ねじ穴
６  送風ファン
７  ドレンパン
８  ねじ
９  排水受
１０  排水樋
【図１】
2007101136.tif 000003
【図２】
2007101136.tif 000004
【図３】
2007101136.tif 000005
【図４】
2007101136.tif 000006
【図５】
2007101136.tif 000007
【図６】
2007101136.tif 000008
【図７】
2007101136.tif 000009